(57)【要約】      （修正有）【課題】船の特に横揺れ運動を減衰するための安定化装置のエネルギ効率を高めること、また安定化装置を動作させるための最適な方法を提供する。【解決手段】位置決め装置（１８）によって設定される迎角（γ）を有している安定化面（１６）が、位置決め装置（１８）によって、第１の位置（８０）と第２の位置との間において旋回軸線（Ｓ）を中心として旋回可能であり、且つ、位置決め装置（１８）によって、回転軸線（Ｄ）を中心として回転可能である。【選択図】図１
2020128201.tif 000002
【特許請求の範囲】
【請求項１】
船殻（１４）を含む船舶、特に船（１２）の横揺れ運動を主に減衰するための能動的安定化装置（１０）であって、前記能動的安定化装置（１０）が、少なくとも１つの位置決め装置（１８）を含んでおり、前記位置決め装置（１８）が、駆動ジャーナル（２０）と、前記位置決め装置（１８）の本体（２２）の領域において前記駆動ジャーナル（２０）に取り付けられている安定化面とを含んでおり、前記安定化面（１６）が、前縁（４０）と後縁（４２）とを含んでおり、前記安定化面（１６）が、水（２６）下に配置されている、前記能動的安定化装置（１０）において、
前記位置決め装置（１８）によって設定される迎角（γ）を有している安定化面（１６）が、前記位置決め装置（１８）によって、第１の位置（８０）と第２の位置（８６）との間において旋回軸線（Ｓ）を中心として旋回可能とされ、且つ、前記位置決め装置（１８）によって、回転軸線（Ｄ）を中心として回転可能とされることを特徴とする能動的安定化装置（１０）。
【請求項２】
前記安定化面（１６）が、前記回転軸線（Ｄ）の中心として少なくとも半回転可能とされることを特徴とする請求項１に記載の能動的安定化装置（１０）。
【請求項３】
前記前縁（４０）の曲率半径（Ｒ１）が、流入ノーズ（４４）を形成するように、前記後縁（４２）の曲率半径（Ｒ２）より大きくなっていることを特徴とする請求項１又は２に記載の能動的安定化装置（１０）。
【請求項４】
非共回転の流入本体（６０）が、少なくとも非共回転の前記流入本体（６０）が前記安定化面（１６）の前記第１の位置（８０）と前記第２の位置（８６）との間に少なくとも部分的に配置されている流れ縁側において、前記駆動ジャーナル（２０）の領域に配置されていることを特徴とする請求項１〜３のいずれか一項に記載の能動的安定化装置（１０）。
【請求項５】
前記流入本体（６０）が、船殻長手方向軸線（３２）に対して略平行に方向づけられていることを特徴とする請求項４に記載の能動的安定化装置（１０）。
【請求項６】
接続領域（６２）における前記流入本体（６０）の断面形状が、前記船殻の近傍における前記安定化面（１６）の断面形状に略一致することを特徴とする請求項４又は５に記載の能動的安定化装置（１０）。
【請求項７】
前記船殻（１４）が、好ましくは関連する前記安定化面（１６）それぞれを完全に受容するための少なくとも１つの受容ポケットを含んでいることを特徴とする請求項１〜６のいずれか一項に記載の能動的安定化装置（１０）。
【請求項８】
特に請求項１〜７のいずれか一項に記載の能動的安定化装置（１０）を動作させるための方法であって、船殻（１４）を含む船舶、特に水（２６）の中を実質的に移動しない船（１２）の横揺れ運動を主に減衰するための方法において、
前記方法が、
ａ）位置決め装置（１８）によって迎角（γ）を調整するために、少なくとも１つの安定化面（１６）を第１の位置（８０）又は第２の位置（８６）に到達するまで旋回軸線（Ｓ）を中心として周期的に旋回させるステップと、
ｂ）好ましくは水（２６）の下方に配置されている前記安定化面の前縁（４０）が前記安定化面（１６）の流れ旋回方向（８２，９０）それぞれに方向づけられた状態を常に維持するように、前記安定化面（１６）の旋回方向（８２，９０）の反転を伴って、位置決め装置（１６）によって安定化面（１６）を回転軸線（Ｄ）を中心として揺らすステップと、
を備えていることを特徴とする方法。
【請求項９】
少なくとも１つの前記安定化面（１６）が、前記位置決め装置（１８）によって、第１の位置（８０）と第２の位置（８６）との間において旋回軸線（Ｓ）を中心として＋６０°から−６０°の旋回角度（β）で旋回されることを特徴とする請求項８に記載の方法。
【請求項１０】
少なくとも１つの前記安定化面（１６）が、前記位置決め装置（１８）を利用することによって、＋６０°から−６０°の範囲で変化されることを特徴とする請求項８又は９に記載の方法。
【請求項１１】
前記能動的安定化装置（１０）の動作停止状態における静止位置を設定するために、少なくとも1つの前記安定化面（１６）が、好ましくは前記安定化面（１６）が前記船殻（１４）の受容ポケット（５０）に完全に受容されるように、位置決め装置によって旋回されることを特徴とする請求項８〜１０のいずれか一項に記載の方法。
【発明の詳細な説明】
【技術分野】
【０００１】
本発明は、船殻を有する船舶、特に船の横揺れ運動を主に減衰させるための能動的安定化装置であって、能動的安定化装置が、少なくとも１つの位置決め装置を含んでおり、位置決め装置が、駆動ジャーナルと自身の本体の領域において駆動ジャーナルに取り付けられている安定化面とを含んでおり、能動的安定化装置が、前縁と後縁とを含んでおり、安定化面が、水の下方に配置されている、能動的安定化装置に関する。さらに、本発明は、船殻を有する船舶、特に実質的に水中を移動していない船の横揺れ運動を主に減衰させるための能動的安定化装置を動作させるための方法に関する。
【０００２】
船舶、特に大型モータ駆動船の特に望ましくない横揺れ運動を減衰させるために、水面下の船舶の船殻に取り付けられているフィン安定装置を含む能動的安定化装置を利用することが知られている。
【０００３】
船舶が十分な速度で水中を移動する場合には、適切なアクチュエータを使用して、フィン安定化装置が増大させた流体力学的力が当該船舶の横揺れ運動を減衰させるために横揺れ運動を相殺するように一定の作業位置に旋回される安定化フィンの適切なアクチュエータを利用することによって、迎角を変更すれば十分である。
【０００４】
能動的に水中を移動していない船舶の場合には、フィン安定化装置の迎角を変更するだけでは不十分である。十分に大きい流体力学的力を発生させることができないからである。むしろ、このような状況では、運動を弱めるために必要とされる流体力学的力を大きくするために、旋回運動の端位置において船舶の船殻の望ましくない横揺れ迎角を僅かに変化させた状態でさらなるアクチュエータを十分な速度で利用することによって、例えばフィン安定化装置を水中で往復運動させることが必要とされる。さらなる可能性としては、例えば横揺れ運動に対して船殻を安定させるために必要とされる機械的力をこのようなパドル運動によって発生させるために、旋回角度を変化させることが挙げられる。
【０００５】
旋回方向では、水が安定化フィンの流れプロファイルの前縁に抗して流れるが、逆向きの旋回方向では、水によって後縁が流入に対して露呈されていることは欠点である。結果として、安定化フィンが周期的に両方向に旋回するので、流れ抵抗が著しく増大し、能動的安定化装置全体のエネルギ効率が低減される。
【０００６】
本発明の目的は、船舶、特に船の特に横揺れ運動を減衰するための安定化装置のエネルギ効率を高めることである。さらに、本発明は、このような安定化装置を動作させるための最適な方法を含んでいる。
【０００７】
上述の目的は、請求項１に特徴づけられる特徴を含む安定化装置であって、位置決め装置によって特定可能な迎角を有している安定化面が、位置決め装置によって、第１の位置と第２の位置との間において旋回軸線を中心として旋回可能とされ、且つ、位置決め装置によって、回転軸線を中心として回転可能とされる、安定化装置によって最初に達成される。結果として、能動的安定化装置及び船舶が水中を移動しない状態において、能動的安定化装置は、安定化面の現在の移動方向とは無関係に常に水が前縁に抗して流れるように、回転軸線を中心として回転可能とされる。このようにして、船舶が水中を移動しない場合に周期的に往復回動する安定化面の流れ抵抗が低減されるので、その結果として能動的安定化装置の効率が著しく高くなる。ここで、安定化面の自由端は、例えば当該自由端側で略矩形状の若しくは８の字状の軌道、又は無限大記号のような軌道を追従する。
【０００８】
安定化面は、位置決め装置を利用することによって、略半回転/実質的に半回転することができる。安定化面は、水中に位置する安定化面の前縁が好ましくは安定化面の流れ旋回方向それぞれに実質的に方向づけられた状態を常に維持するように、特に位置決め装置を利用することによって回転可能とされる。
【０００９】
好ましくは、安定化面が、回転軸線の中心として少なくとも半回転可能とされる。
【００１０】
その結果として、安定化面は、水が前縁に抗して流れるように回転され、能動的安定化装置の流れ抵抗及び関連するエネルギ需要が低減される。
【００１１】
一の発展形態の場合には、前縁の曲率半径が、流入ノーズを形成するように、後縁の曲率半径より大きい寸法とされる。
【００１２】
これにより、安定化面に最適な流体力学プロファイルを付与することができる。
【００１３】
好ましくは、非共回転の流入本体が、少なくとも非共回転の流入本体が安定化面の第１の位置と第２の位置）との間に少なくとも部分的に配置されている流れ縁側において、駆動ジャーナルの領域に配置されている。流入本体がスポイラーとして機能するので、駆動ジャーナルの領域における流れパラメータが最適化される。駆動ジャーナルの領域における流体力学的特性が安定化面の流体力学的特性に一致するからである。
【００１４】
技術的に有利な構成では、流入本体が、船殻長手方向軸線に対して略平行に方向づけられている。
【００１５】
その結果として、安定化面が旋回する際の抵抗の増加を可能な限り最大限に回避することができる。さらに、動的な揚力の発生が流入本体によって相殺される。
【００１６】
さらなる構成の場合には、接続領域における流入本体の断面形状が、船殻の近傍における安定化面の断面形状に略一致する。
【００１７】
これにより、乱流及び渦が、流入本体と回転軸線を中心として好ましくは同時に回転可能とされる安定化面との間の接続領域において減少する。
【００１８】
一の公的な発展形態では、船殻が、好ましくは関連する安定化面それぞれを完全に受容するための少なくとも１つの受容ポケットを含んでいる。結果として、能動的安定化装置が利用されていない場合には、理想的には、少なくとも１つの安定化面を関連する受容ポケットに完全に受容することによって、船殻の流れ抵抗を最小限に抑えることができる。
【００１９】
さらに、上述の目的は、
ａ）位置決め装置によって迎角を調整するために、少なくとも１つの安定化面を第１の位置又は第２の位置に到達するまで旋回軸線を中心として周期的に旋回させるステップと、
ｂ）好ましくは水の下方に配置されている安定化面の前縁が安定化面の流れ旋回方向それぞれに方向づけられた状態を常に維持するように、安定化面の旋回方向の反転を伴って、位置決め装置によって安定化面を回転軸線を中心として揺らすステップと、
を備えている方法によって達成される。
その結果として、水の中を移動しない船舶の場合には、能動的安定化装置の効率が大幅に向上する。前縁が常に旋回方向に方向づけられていることに起因して、安定化面の流れ抵抗が低減されるからである。
【００２０】
当該方法の位置の発展的形態では、位置決め装置を利用することによって、少なくとも１つの安定化面が、第１の位置と第２の位置との間において、旋回軸線を中心として最大＋６０度の旋回角度で旋回される。
【００２１】
安定化面の中央位置に対する旋回角度が＋６０°、−６０°、＋１２０°、又はー１２０°である場合には、安定化面は、船舶又は船の船殻から略直角に投影しているので、船舶の望ましくない横揺れ運動を最適に且つ確実に減衰させることができる。旋回軸線を中心とする安定化面の最大旋回角度は、船殻の受容ポケットの内側の安定化面の静止位置と安定化面の第１の最大旋回後方位置とに対して最大１６０°とされる。
【００２２】
当該方法の一の優位な発展形態では、少なくとも１つの安定化面の迎角が、位置決め装置を利用することによって、＋６０°〜−６０°の範囲で変化する。
安定化面の迎角が＋６０°、−６０°、＋１２０°、又はー１２０°で変化するので、安定化効果の効率をさらに向上させることができる。
【００２３】
当該方法の好ましいさらなる発展形態の場合には、能動的安定化装置の動作停止状態における静止位置を設定するために、少なくとも1つの安定化面が、好ましくは安定化面が船殻の受容ポケットに完全に受容されるように、位置決め装置によって旋回される。
【００２４】
その結果として、安定装置による船舶又は船の船殻の流れ抵抗の増加を可能な限り最大限に回避することができる。安定化面の静止位置では、安定化面の回転軸線と船殻長手方向軸線とが成す角度は約０°である。すなわち、安定化面の回転軸線と船殻長手方向軸線とは互いに対して略平行に延在している。安定化面は、位置決め装置を利用することによって、受容ポケットの内側の安定化面の静止位置から第１の最大後方位置に到達するまで、最大約１６０°で旋回可能とされる。
【００２５】
本発明の好ましい例示的な実施例について、概略図を参照しつつ、以下により詳細に説明する。
【図面の簡単な説明】
【００２６】
【図１】３つの異なる位置それぞれにおける第１の旋回方向の能動的安定化装置の安定化面の概略的な斜視図である。
【図２】３つの異なる位置それぞれにおける第１の旋回方向の能動的安定化装置の安定化面の概略的な斜視図である。
【図３】３つの異なる位置それぞれにおける第１の旋回方向の能動的安定化装置の安定化面の概略的な斜視図である。
【図４】３つの異なる位置それぞれにおける、図１〜図３に表わす第１の旋回方向の逆向きである第２の旋回方向の、図１に表わす能動的安定化装置の安定化面の概略的な斜視図である。
【図５】３つの異なる位置それぞれにおける、図１〜図３に表わす第１の旋回方向の逆向きである第２の旋回方向の、図１に表わす能動的安定化装置の安定化面の概略的な斜視図である。
【図６】３つの異なる位置それぞれにおける、図１〜図３に表わす第１の旋回方向の逆向きである第２の旋回方向の、図１に表わす能動的安定化装置の安定化面の概略的な斜視図である。
【発明を実施するための形態】
【００２７】
図１〜図３−発明の詳細な説明のさらなる過程において共に参照される−は、第１の旋回方向における３つの異なる位置それぞれでの能動的安定化装置の安定化面の概略図である。
【００２８】
船舶又は船１２は、従来技術に基づく船殻１４を含んでいる。好ましくない横揺れ運動を顕著に弱めるために、能動的安定化装置１０が、能動的安定化装置１０の内部で一体化されている。本発明では、能動的安定化装置１０は、例えば略矩形状のフィン等のような安定化面１６を含んでいる。必要に応じて、安定化面１６は、４つより多い多角形の周囲輪郭を呈している。安定化面１６は、旋回軸線Ｓを中心として旋回可能とされ、駆動ジャーナル２０を含む適切な好ましくは強力な液圧式位置決め装置１８を利用することによって、回転軸線Ｄを中心として回転可能とされる。
安定化面１６の根元領域２２において、安定化面１６は、好ましくは直線上に整列された態様で駆動ジャーナル２０に接続されている。安定化面１６を駆動ジャーナル２０に対して例えば１５°以上の角度で斜めに取り付けることができる。
【００２９】
例示にすぎないが、当該実施例では、好ましくは矢印２４の方向において船１２は水２６の中を移動する。能動的安定化装置１０は、水２６の中を進行する船１２の速度ｖが実質的に零、又は最大４ノットの速度と同義である船１２の通常の移動速度すなわち巡航速度に対して比較的低い場合に作動する。水２６の中を進行する好ましい方向に従って、船１２の船殻１４は、優位には流体の流れの観点から形成されている船首２８及び船尾３０を含んでいる。
【００３０】
船１２の船殻１４は、一般に船殻長手方向軸線３２に関して鏡面対称とされるように構成されている。すなわち、本出願では概略的に示すのみの能動的安定化装置１０に加えて、船１２の船殻１４は、好ましくは能動的安定化装置１０に関して鏡面対称に形成されている図示しないさらなる右舷側能動的安定化装置を含んでいる。船１２の通常運転状態において、能動的安定化装置１０の少なくとも安定化面１６は、常に水２６の下方に配置されている。
【００３１】
本発明では、例示にすぎないが、旋回軸線Ｓは、船殻１４の直交座標系３２の垂直軸線Ｈ（いわゆるヨー軸）と一致している。垂直軸線Ｈは、船殻１４が横傾斜していない場合、すなわち船殻１４が水２６の水位に位置している場合に重力ＦＧに対して略平行に方向づけられている。これとは異なり、安定化面１６の旋回軸線Ｓは、直交座標系３２の垂直軸線Ｈに対して最大４５°の角度で傾斜している所定の角度で延在している場合がある。位置決め装置１８によって、鑑定下面１６は、旋回角度＋βで旋回軸線Ｓを中心として旋回運動するが、必要に応じて、安定化面１６の回転運動又は迎角γの変化が、回転軸線Ｄを中心として実施される。
【００３２】
本発明では、回転軸線Ｄは、例えば安定化面１６の前縁４０及び後縁４２に対して平行に延在している。これとは異なり、回転軸線Ｄを安定化面１６の前縁４０及び／又は後縁４２に対して非平行とすることもできる。適切に流体的に最適化された形状を具備する流入ノーズ４４を実現するために、前縁４０の第１の曲率半径Ｒ１は、後縁４２の曲率半径Ｒ２より著しく大きい寸法とされる。
【００３３】
船殻１４の受容ポケット５０は、好ましくは能動的安定化装置１０が動作していない場合に安定化面１６の受容を完了させるように機能する。この場合には、安定化面１６は、回転軸線Ｄが船殻長手方向軸線３２に対して略平行に延在している、いわゆる静止位置に配置されている。
【００３４】
回転軸線Ｄに関して共回転しない流れ縁側流入本体６０すなわち充填本体は、駆動ジャーナル２０の領域に配置されており、流入本体６０すなわち充填本体は、船殻長手方向軸線３２に対して略平行に方向づけられている。図面の見通しを良くするために図示しない流入本体６０の断面形状は、迎角が少なくとも約０°の状態で、接続領域６２において図示しない安定化面１６の断面形状に対応している。
【００３５】
安定化面１６の中心プレート７２は、前縁４０及び後縁４２によって形成されている。本発明では、例示的には、中心プレート７２と水平線７０との間の迎角が＋γとされる。
【００３６】
図１に表わすように、安定化面１６は、第１の位置８０に配置されている。すなわち、本発明では、安定化面１６は、例えば可能な限り船殻１４の船尾３０に戻るように、旋回軸線Ｓを中心として旋回される。
安定化面１６は、当該実施例では船首２８に面している位置決め装置１８によって、第１の位置８０から始まって、安定化面１６が図２に表わす中央位置８４に位置するとみなされ且つ船殻１４から略直角に突出するまで、第１の旋回方向８２において旋回される。当該実施例では、例えば安定化面１６の迎角＋γが一定を維持しているが、必要に応じて位置決め装置１８を利用することによって変化することができる。正の迎角＋γに起因して、重力ＦＧの逆向きに方向づけられている流体力学的揚力ＦＨ１は、旋回している安定化面１６に作用する。流体力学的揚力に起因して、船１２の船殻長手方向軸線３２を中心とする（傾斜）モーメントが発生し、（傾斜）モーメントは、主に船殻長手方向軸線３２を中心として発生する船１２の横揺れ運動を最大限に補償するために、能動的安定化装置１０によって利用される。
【００３７】
当該目的を達成するために、能動的安定化装置１０は、横揺れ運動、縦揺れ運動、及び船首揺れ運動を、水中２６における速度及びさらなる船に関連するパラメータと同様にリアルタイムで検出するための複雑なセンサシステムを含んでいる。当該検出結果に基づいて、能動的安定化装置１０の図示しない効率的なデジタル制御及び／又は調整装置は、特に船殻長手方向軸線３２を中心とする船の望ましくない横揺れ運動が可能な限り効果的に低減されるように、位置決め装置１６を制御する。ここで、流体力学的揚力ＦＨ１の大きさは、安定化面１６の旋回速度又は安定化面１６と水２６との相対速度、及び迎角γによって変化する。
【００３８】
図３は、旋回装置１８によって安定化面１６が旋回軸線Ｓを中心として船首２８又は第１の旋回方向８２に向かってさらに角度＋βで旋回された後の、第２の位置８６における安定化面１６を表わす。
【００３９】
本発明では、安定化面１６の前縁４０は、常に流れ旋回それぞれ及び入射角βから独立して、好ましくは常に実質的に流入水２６に向かって配向されているので、位置決め装置１０は特にエネルギ効率が良い。図３に表わす第２の位置から開始して、第１の旋回方向８２にさらに移動させることよって、安定化面１６は安定化面１６の静止位置に到達し、理想的な場合には、安定化面１６は受容空間に完全に受容されるので、安定化面１６が船殻１４と最終的には同一平面上に配置される。従って、静止位置では、船殻１４の流体力学的特性の有意な変化、特に関連する流れ抵抗の増加が存在しない。
【００４０】
第２の位置８６に達すると、位置決め装置１８を利用することによって、第１の旋回方向８２から第１の旋回方向８２と逆向きに方向づけられている第２の旋回方向９０に反転される。好ましくは同時に、安定化面１６が、安定化面１６が図４〜図６に表わすさらなる位置に位置すると仮定されるように、回転軸線Ｄを中心として約半回転すなわち１８０°の回転角度で回転される。これとは異なり、安定化面１６は、回転軸線Ｄを中心として、より大きい回転角度又はより小さい回転角度で回転しても良い。
【００４１】
ここで、安定化面１６の自由端面９６は、例えば中心面７２に対して平行に方向づけられているリブ構造体を備えているが、図面の明確性を確保するために図示しない。リブ構造体は、乱流及び渦を最小限度に抑えるための、特に低減するための複数の並列リ船首含んでいる。
【００４２】
図４〜図６−発明の詳細な説明のさらなる過程において共に参照される−は、図１〜図３に表わす第１の旋回方向の逆向きに方向づけられている第２の旋回方向における能動的安定化装置の安定化面の、３つの異なる位置における斜視図それぞれを表わす。
【００４３】
今度は、船１２の船殻１４は、再び白抜き矢印２４の方向において水の中を移動する。図４では、能動的安定化装置１０の安定化面１６は、第２の位置８６に依然として位置している。しかしながら、図３に表わす位置とは対照的に、安定化面１６は回転軸線Ｄを中心として約半回転すなわち１８０°で回転するので、その後に安定化面１６がさらに旋回する際に、周囲の水２６が前縁４０に対して最適に流れる。これにより、能動的安定化装置１０のエネルギ需要を大幅に低減させることができる。
【００４４】
さらに、図１〜図３とは対照的に、単なる例示であるが、安定化面１６の水平線７０と中央面７２とが成す略一定の迎角−γが存在するので、それにより、重力ＦＧの方向に方向づけられている流体力学的な押付力ＦＨ２が安定化面１６によって発生し、船殻長手方向軸線３２を中心とする船１２の船殻１４の横揺れ運動を減衰させるように機能する。同様に、流体力学的な押付力ＦＨ２の大きさは、安定化面１６の旋回速度に依存するか、又は安定化面１６の旋回速度の結果として生じる安定化面１６と水２６との相対速度に依存する。さらに、船１２の船殻１４の零ではない速度ｖは、特定の状況下においての押付力ＦＨ２に影響を及ぼす。安定化面１６の旋回運動の反転点において、すなわち好ましくは１８０°の回転角度αすなわち半回転の回転が付与される安定化面１６の第１の位置及び第２の位置において、結果として押付力ＦＨ２が小さくなる。
【００４５】
図５は、安定化面１６の中央位置８４を表わす。図５では、安定化面１６は、船１２の船殻１４に対して略直角に方向づけられている。能動的安定化装置１０の安定化面１６は、安定化面１６の位置決め装置１８によって第２の旋回方向９０に向かってさらに旋回されるので、最終的に図６に表わす第１の位置８０に再び到達する。
【００４６】
発明の詳細な説明のさらなる過程において、本発明における方法について、再び図１〜図６を参照しつつ簡単に説明する。
【００４７】
第１の方法ステップａ）では、船殻１４が横傾斜していない状態で、位置決め装置１８によって特定された迎角に設定されている少なくとも１つの安定化面１６は、第１の位置８０又は第２の位置８６に至るまで、重力ＦＧに対して略平行とされる旋回軸線Ｓを中心として又は重力の方向において＋β又は−βの旋回角度で周期的に旋回される。ここで、中央位置８４は周期的に横断される。旋回角度βは、安定化面１６の中央位置８４に対して＋６０°〜−６０°とされる。平面図で見ると、正の旋回角度＋βは、旋回軸線Ｓを中心とする時計回りの旋回運動を定義しており、負の旋回角度−βは、旋回軸線Ｓを中心とする反時計回りの旋回運動を定義している。
【００４８】
当該方法では、安定化面１６の迎角γの角度は、２つの旋回方向８２，９０における旋回軸線Ｓを中心とする周期的な旋回運動の際に、水平線７０に対して＋６０°〜−６０°の範囲で変化可能とされる。
【００４９】
第２の方法ステップｂ）では、第１の旋回方向８２から第２の旋回方向９０に又はその逆に変化する際に、すなわち、旋回運動の反転点それぞれにおいて、又は安定化面１６の第１の位置８０若しくは第２の位置８６に到達した場合に、安定化面１６は、位置決め装置１８によって、安定化装置１６の回転軸線Ｄを中心として少なくとも約半回転すなわち１８０°の回転角度で回転される。
【００５０】
その結果として、前縁４０の流入ノーズ４４は、常に周囲の水２６の影響を受けるので、能動的安定化装置１０のエネルギ効率が、能動的横揺れ減衰動作に関して著しく増加する。
【００５１】
当該方法に係る図１〜図６では、能動的横揺れ減衰動作において、安定化面１６の、位置決め装置１８の駆動ジャーナル２０から離隔するように方向づけられている自由端側９６は、例えば当該自由端側で略矩形状の若しくは８の字状の軌道、又は無限大記号のような軌道を追従するようになっている。
【符号の説明】
【００５２】
１０  能動的安定化装置
１２  船
１４  船殻
１６  安定化面
１８  位置決め装置
２０  駆動ジャーナル
２２  本体（安定化面）
２４  白抜き矢印
２６  水
２８  船首
３０  船尾
３２  船殻長手方向軸線
４０  流入側縁部
４２  流出側縁部
４４  流入ノーズ
５０  受容ポケット
６０  流入本体
６２  接続領域
７０  水平線
７２  中央面（安定化面）
８０  第１の位置（安定化面）
８２  第１の旋回方向
８４  中央位置（安定化面）
８６  第２の位置（安定化面）
９０  第２の旋回方向
９６  自由端側（安定化面）
ＦＨ１  流体力学的な揚力
ＦＨ２  流体力学的な押付力
ＦＧ  重力
Ｈ  垂直軸線
Ｄ  回転軸線
Ｓ  旋回軸線
α  回転角度（安定化面）
β  旋回角度（安定化面）
γ  迎角（安定化面）
Ｒ１  第１の曲率半径
Ｒ２  第２の曲率半径
ｖ  速度（船舶、船）
【図１】
2020128201.tif 000003
【図２】
2020128201.tif 000004
【図３】
2020128201.tif 000005
【図４】
2020128201.tif 000006
【図５】
2020128201.tif 000007
【図６】
2020128201.tif 000008
【外国語明細書】
2020128201000001.pdf